(57)【要約】【課題】ユーザの利便性を向上させることができる、ブラケットを提供する。【解決手段】ブラケット３０は、ブラケット本体（第１部材）３１と、スライド部材（第２部材）３３とを有している。ブラケット本体３１は、収容部３１Ｄを有する。スライド部材３３は、収容部３１Ｄに収容されている「第１位置」と収容部３１Ｄから引き出された「第２位置」との間でブラケット本体３１に対してスライド可能となっている。【選択図】図６
2020077748.tif 000002
【特許請求の範囲】
【請求項１】
電子機器筐体のスリット部に取り付けられて拡張カードを前記電子機器筐体の内側に取り付けるためのブラケットであって、
収容部を有する第１部材と、
前記収容部に収められている第１位置と前記収容部から引き出された第２位置との間で前記第１部材に対してスライド可能な第２部材と、
を具備するブラケット。
【請求項２】
前記第１部材は、前記拡張カードに取り付けられ且つ前記電子機器筐体の外で外部機器と接続される、接続用モジュールが通される前記ブラケットの表裏の面を貫通する貫通孔である接続口を具備し、
前記第２部材は、前記第１位置と前記第２位置との間のスライド行程において前記接続口と重なって前記ブラケットの表面側と裏面側とを連通させる切り欠き部を具備する、
請求項１記載のブラケット。
【請求項３】
前記第１位置に対応する前記第２部材の第１状態は、第１種別拡張カードに対応する第１種別電子機器筐体に前記第１種別拡張カードを取り付けるときに用いられ、
前記第２位置に対応する前記第２部材の第２状態は、前記第１種別拡張カードよりもサイズが大きい第２種別拡張カードに対応する第２種別電子機器筐体に前記第１種別拡張カードを取り付けるときに用いられ、
前記第２部材は、一端部に前記切り欠き部が配設された第２部材本体と、前記一端部と反対側の前記第２部材本体の他端部に配設され且つ前記電子機器筐体に固定される被固定片と、を具備し、
前記被固定片は、一端部に前記第１種別電子機器筐体に対する固定のための第１被固定部と、前記一端部と反対側の前記被固定片の他端部に前記第２種別電子機器筐体に対する固定のための第２被固定部とを具備すると共に、前記被固定片の前記一端部から前記他端部への方向に沿って、前記第２部材本体に対してスライド可能に支持されている、
請求項２記載のブラケット。
【請求項４】
前記被固定片は、前記第２部材本体の前記他端部に回動可能に支持されている、
請求項３記載のブラケット。
【請求項５】
前記第２部材が前記第２位置にあるときに前記切り欠き部のうちで前記第１部材からはみ出した部分をカバーするカバー部材をさらに具備する、請求項２から請求項４のいずれか１項に記載のブラケット。
【請求項６】
電子機器筐体のスリット部に取り付けられて拡張カードを前記電子機器筐体の内側に取り付けるためのブラケットであって、
マウント部を有するブラケット本体と、
前記マウント部に着脱可能で、且つ、第１種別拡張カードに対応する第１種別電子機器筐体に前記第１種別拡張カードを取り付けるための第１ブラケット形態と前記第１種別拡張カードよりもサイズが大きい第２種別拡張カードに対応する第２種別電子機器筐体に前記第１種別拡張カードを取り付けるための第２ブラケット形態との間で前記ブラケットの形態を切り替えるために取り替えできる取替可能部材と、
を具備するブラケット。
【請求項７】
前記第１ブラケット形態の場合、前記取替可能部材は、第１種別部材であり、
前記第２ブラケット形態の場合、前記取替可能部材は、前記第１種別部材よりもサイズが大きい第２種別部材である、
請求項６記載のブラケット。
【発明の詳細な説明】
【技術分野】
【０００１】
本開示は、ブラケットに関する。
【背景技術】
【０００２】
情報処理装置（電子機器）のＰＣＩ拡張カード用スロット及びＰＣＩ拡張カード（以下では、単に「拡張カード」と呼ぶことがある）には、サイズに関する規格が定められている。具体的には、PCI拡張カードを情報処理装置に固定するための金具（つまり、PCI ExpressアドインカードI/O Bracket（以下では、単に「ブラケット」と呼ぶことがある））のサイズに関して、互いに高さの異なる「Standard Height」及び「Low Profile」の２種類の形状が規定されている。
【０００３】
これら２種類の形状に対応するための、拡張カードの固定機構が提案されている（例えば、特許文献１）。
【先行技術文献】
【特許文献】
【０００４】
【特許文献１】特開２００２−３６６２５７号公報
【発明の概要】
【発明が解決しようとする課題】
【０００５】
しかしながら、特許文献１に開示されている拡張カードの固定機構では、情報処理装置に取り付ける拡張カードのサイズに合わせてブラケットを付け替える必要がある。すなわち、「Standard Height」用のブラケットが情報処理装置に取り付けられている状態で「Low Profile」の拡張カードを情報処理装置に取り付ける場合、「Standard Height」用のブラケットを取り外して「Low Profile」用のブラケットに取り替える必要がある。このため、ユーザの利便性に欠ける可能性がある。
【０００６】
本開示の目的は、ユーザの利便性を向上させることができる、ブラケットを提供することにある。
【課題を解決するための手段】
【０００７】
第１の態様にかかるブラケットは、電子機器筐体のスリット部に取り付けられて拡張カードを前記電子機器筐体の内側に取り付けるためのブラケットであって、収容部を有する第１部材と、前記収容部に収められている第１位置と前記収容部から引き出された第２位置との間で前記第１部材に対してスライド可能な第２部材と、を具備する。
【０００８】
第２の態様にかかるブラケットは、電子機器筐体のスリット部に取り付けられて拡張カードを前記電子機器筐体の内側に取り付けるためのブラケットであって、マウント部を有するブラケット本体と、前記マウント部に着脱可能で、且つ、第１種別拡張カードに対応する第１種別電子機器筐体に前記第１種別拡張カードを取り付けるための第１ブラケット形態と前記第１種別拡張カードよりもサイズが大きい第２種別拡張カードに対応する第２種別電子機器筐体に前記第１種別拡張カードを取り付けるための第２ブラケット形態との間で前記ブラケットの形態を切り替えるために取り替えできる取替可能部材と、を具備する。
【発明の効果】
【０００９】
本開示により、ユーザの利便性を向上させることができる、ブラケットを提供することができる。
【図面の簡単な説明】
【００１０】
【図１】第１実施形態の「Low Profile」用のカードスロットを有する情報処理装置の一例を示す図である。
【図２】第１実施形態の「Standard Height」用のカードスロットを有する情報処理装置の一例を示す図である。
【図３】第１実施形態のブラケット（縮状態）を表側（前側）から見た図である。
【図４】第１実施形態のブラケット（縮状態）を裏側（後ろ側）から見た図である。
【図５】第１実施形態のブラケット（縮状態）を側面側（右側）から見た図である。
【図６】第１実施形態のブラケット（伸状態）を表側（前側）から見た図である。
【図７】第１実施形態のブラケット（伸状態）を裏側（後ろ側）から見た図である。
【図８】第１実施形態のブラケット（伸状態）を側面側（右側）から見た図である。
【図９】第１実施形態のブラケットの分解図である。
【図１０】第１実施形態のブラケットの伸縮構造の説明に供する図である。
【図１１】第１実施形態のブラケットの被固定片の説明に供する図である。
【図１２】第１実施形態のブラケットのカバー部材の一例を示す斜視図である。
【図１３】第１実施形態のブラケットにカバー部材を装着する方法の説明に供する図である（装着前）。
【図１４】第１実施形態のブラケットにカバー部材を装着する方法の説明に供する図である（装着後）。
【図１５】第１実施形態の「Standard Height」用のカードスロットを有する情報処理装置の一例を示す図である。
【図１６】第１実施形態のブラケットに対する拡張カードの取付方法の説明に供する図である。
【図１７】第１実施形態のブラケットに対する拡張カードの取付方法の説明に供する図である。
【図１８】第１実施形態のブラケットを、「Low Profile」用のカードスロットを有する装置筐体に対して取り付ける方法の説明に供する図である。
【図１９】第１実施形態のブラケットを、「Standard Height」用のカードスロットを有する装置筐体に対して取り付ける方法の説明に供する図である。
【図２０】第２実施形態のブラケットの一例を示す図である。
【図２１】第２実施形態のブラケットの一例を示す図である。
【図２２】第２実施形態のブラケットのマウント部の一例を示す図である。
【発明を実施するための形態】
【００１１】
以下、図面を参照しつつ、実施形態について説明する。なお、実施形態において、同一又は同等の要素には、同一の符号を付し、重複する説明は省略される。
【００１２】
＜第１実施形態＞
＜情報処理装置（電子機器）の概要＞
図１は、第１実施形態の「Low Profile」用のカードスロットを有する情報処理装置の一例を示す図である。図２は、第１実施形態の「Standard Height」用のカードスロットを有する情報処理装置の一例を示す図である。各図において、ｘｙｚ３次元直交座標系を規定している。以下では、「＋ｘ側」を「前」、「−ｘ側」を「後」、「＋ｙ側」を「右」、「−ｙ側」を「左」、「＋ｚ側」を「上」、「−ｚ側」を「下」と呼ぶことがある。
【００１３】
図１において情報処理装置１は、装置筐体１０を有している。装置筐体１０は、筐体本体１１と、筐体本体１１から取り外し可能な蓋部１２とを有している。筐体本体１１の＋ｘ側の面（前面）には、「Low Profile」用のカードスロット１１Ａが配設されている。図１では、１２個のカードスロット１１Ａがｙ方向（左右方向）に並ぶように配設されている。カードスロット１１Ａには、「Low Profile」の拡張カード５０が取り付けられたブラケット３０が取り付けられている。このとき、ブラケット３０の＋ｘ側の面（表面、前面）は、カードスロット１１Ａから筐体本体１１の外側に露出しており、拡張カード５０は筐体本体１１の内部空間に配設されている。
【００１４】
図２において情報処理装置２は、装置筐体２０を有している。装置筐体２０は、筐体本体２１と、筐体本体２１から取り外し可能な蓋部２２とを有している。筐体本体２１の＋ｘ側の面（前面）には、「Standard Height」用のカードスロット２１Ａが配設されている。図２では、１２個のカードスロット２１Ａがｙ方向（左右方向）に並ぶように配設されている。カードスロット２１Ａには、「Low Profile」の拡張カード５０が取り付けられたブラケット３０が取り付けられている。このとき、ブラケット３０の＋ｘ側の面（表面、前面）は、カードスロット１１Ａから筐体本体２１の外側に露出しており、拡張カード５０は筐体本体２１の内部空間に配設されている。
【００１５】
すなわち、ブラケット３０は、「Low Profile」用のカードスロット１１Ａ及び「Standard Height」用のカードスロット２１Ａに取り付け可能な構成を有している。これにより、ブラケット３０を付け替えることなく、拡張カード５０を情報処理装置１及び情報処理装置２のいずれにも設置することができる。この結果として、ユーザの利便性を向上させることができる。
【００１６】
＜ブラケットの構成例＞
図３は、第１実施形態のブラケット（縮状態）を表側（前側）から見た図である。図４は、第１実施形態のブラケット（縮状態）を裏側（後ろ側）から見た図である。図５は、第１実施形態のブラケット（縮状態）を側面側（右側）から見た図である。図６は、第１実施形態のブラケット（伸状態）を表側（前側）から見た図である。図７は、第１実施形態のブラケット（伸状態）を裏側（後ろ側）から見た図である。図８は、第１実施形態のブラケット（伸状態）を側面側（右側）から見た図である。図９は、第１実施形態のブラケットの分解図である。図１０は、第１実施形態のブラケットの伸縮構造の説明に供する図である。図１１は、第１実施形態のブラケットの被固定片の説明に供する図である。
【００１７】
ブラケット３０は、ブラケット本体（第１部材）３１と、スライド部材（第２部材）３３とを有している。
【００１８】
ブラケット本体３１は、例えば、平板形状を有しており、その中央部分には、接続口３１Ａが設けられている。接続口３１Ａは、拡張カード５０に取り付けられ且つ装置筐体１０，２０の外で外部機器（図示せず）と接続される、接続用モジュール５３が通され、且つ、ブラケット本体３１の表裏の面を貫通する貫通孔である。接続口３１Ａの形状は、接続用モジュール５３の種類に応じた形状である。
【００１９】
ブラケット本体３１の裏面には、後述するスライド部材３３の脚部３４Ｂ，３４Ｃを収容する収容部３１Ｄが設けられている。収容部３１Ｄは、一対のスライドガイド部３１Ｂ，３１Ｃを有している。スライドガイド部３１Ｂ，３１Ｃは、接続口３１Ａを挟むように、接続口３１Ａの左右両側にそれぞれ配設されている。スライドガイド部３１Ｂ，３１Ｃは、それぞれ、中空部を有する筒形状を有しており、例えば、ブラケット本体３１を構成する板金が折り返されて形成される。スライドガイド部３１Ｂ，３１Ｃの中空部の直径の方が、後述するスライド部材３３の脚部３４Ｂ，３４Ｃの直径よりも大きい。このため、脚部３４Ｂ，３４Ｃがスライドガイド部３１Ｂ，３１Ｃによってガイドされることにより、スライド部材３３は、ブラケット本体３１に対してスライド可能となっている。
【００２０】
スライドガイド部３１Ｂの筒内面には、突起部３１Ｂ１，３１Ｂ２が設けられている（図９，１０参照）。また、スライドガイド部３１Ｃの筒内面には、突起部３１Ｃ１，３１Ｃ２が設けられている。突起部３１Ｂ１，３１Ｂ２及び突起部３１Ｃ１，３１Ｃ２は、例えば、スライドガイド部３１Ｂ，３１Ｃを外側から中空部に向けてプレスすることで形成されてもよい。突起部３１Ｂ１と突起部３１Ｃ１とは、上下方向においてブラケット本体３１の同じ位置（高さ）に設けられ、突起部３１Ｂ２と突起部３１Ｃ２とは、上下方向においてブラケット本体３１の同じ位置（高さ）に設けられている。
【００２１】
スライド部材３３は、スライド部材本体３４Ａと、脚部３４Ｂ，３４Ｃと、切り欠き部３４Ｄと、支持部３４Ｅと、被固定片３５とを有している。
【００２２】
スライド部材本体３４Ａは、例えば、平板形状を有している。スライド部材本体３４Ａの下面における右端部及び左端部には、下方向に延びる脚部３４Ｂ，３４Ｃがそれぞれ設けられている。脚部３４Ｂ，３４Ｃは、スライドガイド部３１Ｂ，３１Ｃに上側から挿入される（図９，１０参照）。これにより、脚部３４Ｂ，３４Ｃがスライドガイド部３１Ｂ，３１Ｃによってガイドされる。この結果として、スライド部材３３は、収容部３１Ｄに収められている「第１位置」と収容部３１Ｄから引き出された「第２位置」との間で、ブラケット本体３１に対してスライド可能となっている。スライド部材３３が「第１位置」にあるときのブラケット３０の状態は、「縮状態」であり、「第２位置」にあるときのブラケット３０の状態は、「伸状態」である。
【００２３】
脚部３４Ｂには、凹部３４Ｂ１，３４Ｂ２，３４Ｂ３，３４Ｂ４が設けられている。また、脚部３４Ｃには、凹部３４Ｃ１，３４Ｃ２，３４Ｃ３，３４Ｃ４が設けられている。凹部３４Ｂ１と凹部３４Ｃ１とは、上下方向において脚部３４Ｂ，脚部３４Ｃの同じ位置（高さ）に設けられている。凹部３４Ｂ２，３４Ｂ３，３４Ｂ４及び凹部３４Ｃ２，３４Ｃ３，３４Ｃ４についても同様である。凹部３４Ｂ１，３４Ｂ２，３４Ｂ３，３４Ｂ４及び凹部３４Ｃ１，３４Ｃ２，３４Ｃ３，３４Ｃ４は、脚部３４Ｂ，３４Ｃがスライドガイド部３１Ｂ，３１Ｃによってガイドされてスライドしている途中で、突起部３１Ｂ１，３１Ｂ２及び突起部３１Ｃ１，３１Ｃ２が嵌まり込む（図１０参照）。これにより、ブラケット３０の伸状態及び縮状態を安定的に維持することができる。
【００２４】
脚部３４Ｂと脚部３４Ｃとは所定間隔を空けて設けられている。すなわち、スライド部材３３は、切り欠き部３４Ｄを有している。切り欠き部３４Ｄは、上記の「第１位置」から「第２位置」までのスライド部材３３のスライド行程のすべてにおいて接続口３１Ａと重なって、ブラケット３０の表面側と裏面側とを連通させる（図１０参照）。これにより、接続用モジュール５３を接続口３１Ａに通した状態のままでも、スライド部材３３が接続用モジュール５３と干渉することなく、ブラケット３０の状態を伸状態と縮状態との間で切り替えることができる。このため、接続用モジュール５３及び拡張カード５０をブラケット３０から取り外すことなく、装置筐体１０及び装置筐体２０のいずれにも取り付けることができるので、ユーザの利便性を向上させることができる。
【００２５】
スライド部材本体３４Ａの上面には、被固定片３５を支持するための支持部３４Ｅが設けられている。支持部３４Ｅは、筒形状を有しており、中空部が左右方向（ｙ方向）に延びている。
【００２６】
被固定片３５は、矩形の基板３５Ａを有している（図１１参照）。基板３５Ａの右端部及び左端部には、切り欠き部３５Ａ１，３５Ａ２が設けられている。また、基板３５Ａの右端部と左端部とに挟まれる一の側端部（図１１における上端部）には、切り欠き部３５Ａ３が設けられている。切り欠き部３５Ａ１は、ブラケット３０を筐体本体１１に取り付けるために用いられる。一方、切り欠き部３５Ａ２及び切り欠き部３５Ａ３は、ブラケット３０を筐体本体２１に取り付けるために用いられる。すなわち、切り欠き部３５Ａ１は、筐体本体１１に対する固定のために用いられる「第１被固定部」であり、切り欠き部３５Ａ２及び切り欠き部３５Ａ３は、筐体本体２１に対する固定のために用いられる「第２被固定部」である。
【００２７】
また、基板３５Ａの一側面（図１１における下面）には、一定の離間距離を空けて一対の被支持部３５Ｂ１，３５Ｂ２が配設されている。被支持部３５Ｂ１，３５Ｂ２のそれぞれは、筒形状を有しており、中空部が左右方向（ｙ方向）に延びている。被支持部３５Ｂ１と被支持部３５Ｂ２との間には、支持部３４Ｅが配設されている。このとき、被支持部３５Ｂ１の中空部、被支持部３５Ｂ２の中空部、及び支持部３４Ｅの中空部は、同軸上に一列に並んでいる。この状態において、被支持部３５Ｂ１の中空部、被支持部３５Ｂ２の中空部、及び支持部３４Ｅの中空部に、芯棒３６が挿入されることにより、被固定片３５は、スライド部材本体３４Ａに対して、芯棒３６を回転軸として回動可能に支持される。また、被支持部３５Ｂ１と被支持部３５Ｂ２との離間距離は、支持部３４Ｅのｙ方向（支持部３４Ｅの中空部が延びる方向）の長さよりも大きいので、被固定片３５は、スライド部材本体３４Ａに対して、左右方向にスライド可能に支持される。
【００２８】
また、ブラケット３０は、カバー部材３９をさらに有している。図１２は、第１実施形態のブラケットのカバー部材の一例を示す斜視図である。図１３は、第１実施形態のブラケットにカバー部材を装着する方法の説明に供する図である（装着前）。図１４は、第１実施形態のブラケットにカバー部材を装着する方法の説明に供する図である（装着後）。
【００２９】
カバー部材３９は、基板３９Ａと、基板３９Ａの対向する２辺から立ち上がる、一対の壁部３９Ｂ１，３９Ｂ２とを有している。すなわち、カバー部材３９をｘｙ平面と平行な平面で切ったときの断面形状は、Ｕ字状となる。そして、ブラケット３０の状態が「伸状態」のときに、スライド部材本体３４Ａ及び脚部３４Ｂ，３４Ｃがカバー部材３９によって３方向を囲まれるように、カバー部材３９にスライド部材本体３４Ａ及び脚部３４Ｂ，３４Ｃをはめ込む。これにより、切り欠き部３４Ｄのうちでブラケット本体３１からはみ出した部分を、カバー部材３９によって塞ぐことができる（図１４参照）。
【００３０】
ここで、スライド部材３３にカバー部材３９が装着されていない状態でブラケット３０が装置筐体２０に取り付けられた場合、図２に示すように、切り欠き部３４Ｄのうちでブラケット本体３１からはみ出した部分から、埃が装置筐体２０の内部空間に入り込んでしまう。これに対して、図１５に示すように、スライド部材３３にカバー部材３９が装着されている状態でブラケット３０を装置筐体２０に取り付けることにより、切り欠き部３４Ｄを塞ぐことができる。これにより、埃が装置筐体２０の内部空間に入り込むことを防止することができる。図１５は、第１実施形態の「Standard Height」用のカードスロットを有する情報処理装置の一例を示す図である。
【００３１】
＜ブラケットに対する拡張カードの取付方法＞
図１６及び図１７は、第１実施形態のブラケットに対する拡張カードの取付方法の説明に供する図である。
【００３２】
図１６に示すように、拡張カード５０には、取付用穴５１Ａ１，５１Ａ２が設けられている。また、拡張カード５０には、接続用モジュール５３が取り付けられている。
【００３３】
ガスケット６１を接続用モジュール５３とブラケット本体３１との間に挟み込んだ状態で、ブラケット本体３１の取付用穴３１Ｅ１，３１Ｅ２と取付用穴５１Ａ１，５１Ａ２とを重ね合わせる。そして、取付用穴３１Ｅ１及び取付用穴５１Ａ１に取付用ネジ３１Ｆ１を挿入すると共に、取付用穴３１Ｅ２及び取付用穴５１Ａ２に取付用ネジ３１Ｆ２を挿入する。これにより、拡張カード５０をブラケット３０に取り付けることができる。
【００３４】
ここで、図１７に示すように、さらに、接続用モジュール５３をブラケット３０に固定するための固定用ネジ５４，５５が用いられてもよい。
【００３５】
＜装置筐体に対するブラケットの取付方法＞
図１８は、第１実施形態のブラケットを、「Low Profile」用のカードスロットを有する装置筐体に対して取り付ける方法の説明に供する図である。
【００３６】
図１８に示すように、装置筐体１０の筐体本体１１は、ブラケット３０を取り付けるための取付板部１１Ｂを有している。取付板部１１Ｂには、ブラケット３０を取り付けるための取付用穴１１Ｃが設けられている。
【００３７】
ブラケット３０を装置筐体１０の取付位置に設置し、被固定片３５を回動させて取付板部１１Ｂと重ね合わせ、さらに、被固定片３５をスライド部材本体３４Ａに対して＋ｙ方向にスライドさせると、切り欠き部３５Ａ１と取付用穴１１Ｃとが重なる。この状態で、取付用ネジ１１Ｄを切り欠き部３５Ａ１及び取付用穴１１Ｃに通すことにより、ブラケット３０を装置筐体１０に固定することができる。
【００３８】
図１９は、第１実施形態のブラケットを、「Standard Height」用のカードスロットを有する装置筐体に対して取り付ける方法の説明に供する図である。
【００３９】
図１９に示すように、装置筐体２０の筐体本体２１は、ブラケット３０を取り付けるための取付板部２１Ｂを有している。取付板部２１Ｂには、ブラケット３０を取り付けるための取付用穴２１Ｃが設けられている。
【００４０】
ブラケット３０を装置筐体２０の取付位置に設置し、被固定片３５を回動させて取付板部２１Ｂと重ね合わせ、さらに、被固定片３５をスライド部材本体３４Ａに対して−ｙ方向にスライドさせると、切り欠き部３５Ａ２と取付用穴２１Ｃとが重なる。この状態で、取付用ネジ２１Ｄを切り欠き部３５Ａ２及び取付用穴２１Ｃに通すことにより、ブラケット３０を装置筐体２０に固定することができる。
【００４１】
以上のように第１実施形態によれば、ブラケット３０は、ブラケット本体（第１部材）３１と、スライド部材（第２部材）３３とを有している。ブラケット本体３１は、収容部３１Ｄを有する。スライド部材３３は、収容部３１Ｄに収容されている「第１位置」と収容部３１Ｄから引き出された「第２位置」との間でブラケット本体３１に対してスライド可能となっている。
【００４２】
このブラケット３０の構成により、ブラケット３０を伸縮させることができる。これにより、ブラケット３０に取り付けられた「Low Profile」の拡張カード５０を外すことなく、ブラケット３０を装置筐体１０及び装置筐体２０のいずれにも取り付けることができる。この結果として、ユーザの利便性を向上させることができる。
【００４３】
また、ブラケット３０においてブラケット本体（第１部材）３１は、接続用モジュール５３が通される、ブラケット本体３１の表裏の面を貫通する貫通孔である接続口３１Ａを有している。スライド部材（第２部材）３３は、上記の第１位置と第２位置との間のスライド行程のすべてにおいて接続口３１Ａと重なってブラケット３０の表面側と裏面側とを連通させる切り欠き部３４Ｄを有している。
【００４４】
このブラケット３０の構成により、接続用モジュール５３を接続口３１Ａに通した状態のままでも、スライド部材３３が接続用モジュール５３と干渉することなく、ブラケット３０の状態を伸状態と縮状態との間で切り替えることができる。このため、接続用モジュール５３及び拡張カード５０をブラケット３０から取り外すことなく、装置筐体１０及び装置筐体２０のいずれにも取り付けることができるので、ユーザの利便性を向上させることができる。
【００４５】
また、ブラケット３０においてスライド部材（第２部材）３３は、スライド部材本体３４Ａと、被固定片３５とを有している。被固定片３５は、一端部に装置筐体１０に対する固定のための切り欠き部３５Ａ１（第１被固定部）と、他端部に装置筐体２０に対する固定のための切り欠き部３５Ａ２（第２被固定部）とを有している。そして、被固定片３５は、上記の一端部から他端部への方向に沿って、スライド部材本体３４Ａに対してスライド可能に支持されている。
【００４６】
このブラケット３０の構成により、ブラケット３０を装置筐体１０及び装置筐体２０のいずれにも固定することができる。
【００４７】
ブラケット３０において被固定片３５は、スライド部材本体３４Ａに対して回動可能に支持されている。
【００４８】
このブラケット３０の構成により、装置筐体１０及び装置筐体２０に対するブラケット３０の取り付けを容易にすることができる。
【００４９】
また、ブラケット３０は、スライド部材（第２部材）３３が「第２位置」にあるときに切り欠き部３４Ｄのうちでブラケット本体３１からはみ出した部分をカバーするカバー部材３９を有している。
【００５０】
このブラケット３０の構成により、切り欠き部３４Ｄを通って埃が装置筐体２０の内部空間に入り込むことを防止することができる。
【００５１】
ここで、例えば、Low Profile用のブラケットが装着されているLow ProfileサイズのPCI拡張カードを情報処理装置のStandard Height用のカードスロットに実装するためにブラケットをStandard Height用のブラケットに交換する場合、次の問題がある。第１に、事前に載せ替えに必要となる部品の有無、載せ替えに必要な工具の有無を調べ、準備する必要があるため、その場で容易に載せ替えることができない。第２に、ブラケットを交換した場合、ブラケット交換後には、PCI拡張カードは、品質検査を受けていない状態となる。ブラケットの交換時に、ブラケットの装着方法及びガスケットの取り付け位置を間違えても検出されず、PCI拡張カードの信頼性、品質の低下を招く原因となる可能性がある。第３に、間違った位置へガスケットを装着した場合、及び、古いガスケットをそのまま使用した場合、ガスケットの本来の機能が働かず、電気製品から放出される電気的ノイズが増加する。この電気的ノイズによって、周囲の電気製品がトラブルを起こす可能性がある。これに対して、上記のブラケット３０によれば、接続用モジュール５３及び拡張カード５０をブラケット３０から取り外すことなく、装置筐体１０及び装置筐体２０のいずれにも取り付けることができるので、このような問題は解消される。
【００５２】
＜第２実施形態＞
第２実施形態は、ブラケットの他の構成に関する。図２０及び図２１は、第２実施形態のブラケットの一例を示す図である。図２２は、第２実施形態のブラケットのマウント部の一例を示す図である。
【００５３】
第２実施形態のブラケット７０は、マウント部７１Ａを有するブラケット本体７１と、取替可能部材７２とを有している。ブラケット本体７１に対して、第１実施形態と同様に、拡張カード５０が取り付けられる。取替可能部材７２は、装置筐体１０に取り付けるための「第１ブラケット形態」と装置筐体２０に取り付けるための「第２ブラケット形態」との間でブラケット７０の形態を切り替えるために、取り替えできるようになっている。
【００５４】
すなわち、図２０には、取替可能部材７２として、ブラケット７０を「第１ブラケット形態」にするための第１種別部材７３が示されている。第１種別部材７３は、被マウント部７３Ａと、被固定片７３Ｂとを有している。被マウント部７３Ａと被固定片７３Ｂとは、例えば一体に成型されている。被固定片７３Ｂは、第１実施形態の切り欠き部３５Ａ１と同様の切り欠き部（図示せず）を有している一方で、切り欠き部３５Ａ２及び切り欠き部３５Ａ３に相当する切り欠き部を有していない。
【００５５】
図２２に示すように、例えば、マウント部７１Ａは、凹部７１Ｂである。この凹部７１Ｂに被マウント部７３Ａが嵌め込まれることによって、ブラケット本体７１と第１種別部材７３とが結合（連結）される。これにより、「第１ブラケット形態」のブラケット７０が形成される。
【００５６】
一方で、図２１には、取替可能部材７２として、ブラケット７０を「第２ブラケット形態」にするための第２種別部材７４が示されている。第２種別部材７４は、被マウント部７４Ａと、部材本体７４Ｂと、被固定片７４Ｃとを有している。被マウント部７４Ａと部材本体７４Ｂと被固定片７４Ｃとは、例えば一体に成型されている。被固定片７４Ｃは、第１実施形態の切り欠き部３５Ａ２及び切り欠き部３５Ａ３と同様の切り欠き部（図示せず）を有している一方で、切り欠き部３５Ａ１に相当する切り欠き部を有していない。なお、図示されていないが、ブラケット本体７１は、第１実施形態のブラケット本体３１の接続口３１Ａと同様の接続口を有していてもよい。
【００５７】
凹部７１Ｂに被マウント部７４Ａが嵌め込まれることによって、ブラケット本体７１と第２種別部材７４とが結合（連結）される。これにより、「第２ブラケット形態」のブラケット７０が形成される。
【００５８】
以上のように第２実施形態によれば、ブラケット７０は、マウント部７１Ａを有するブラケット本体７１と、取替可能部材７２とを有している。取替可能部材７２は、マウント部７１Ａに着脱可能である。また、取替可能部材７２は、装置筐体１０に取り付けるための「第１ブラケット形態」と装置筐体２０に取り付けるための「第２ブラケット形態」との間でブラケット７０の形態を切り替えるために、取り替えできる。
【００５９】
このブラケット７０の構成により、ブラケット７０の形態を「第１ブラケット形態」と「第２ブラケット形態」との間で切り替えることができる。これにより、ブラケット７０に取り付けられた「Low Profile」の拡張カード５０を外すことなく、ブラケット７０を装置筐体１０及び装置筐体２０のいずれにも取り付けることができる。この結果として、ユーザの利便性を向上させることができる。
【００６０】
以上、実施の形態を参照して本願発明を説明したが、本願発明は上記によって限定されるものではない。本願発明の構成や詳細には、発明のスコープ内で当業者が理解し得る様々な変更をすることができる。
【符号の説明】
【００６１】
１，２  情報処理装置
１０  装置筐体
１１  筐体本体
１１Ａ  カードスロット
１１Ｂ  取付板部
１１Ｃ  取付用穴
１１Ｄ  取付用ネジ
１２  蓋部
２０  装置筐体
２１  筐体本体
２１Ａ  カードスロット
２１Ｂ  取付板部
２１Ｃ  取付用穴
２１Ｄ  取付用ネジ
２２  蓋部
３０  ブラケット
３１  ブラケット本体（第１部材）
３１Ａ  接続口
３１Ｂ，３１Ｃ  スライドガイド部
３１Ｂ１，３１Ｂ２，３１Ｃ１，３１Ｃ２  突起部
３１Ｄ  収容部
３１Ｅ１，３１Ｅ２  取付用穴
３１Ｆ１，３１Ｆ２  取付用ネジ
３３  スライド部材（第２部材）
３４Ａ  スライド部材本体
３４Ｂ，３４Ｃ  脚部
３４Ｂ１，３４Ｂ２，３４Ｂ３，３４Ｂ４，３４Ｃ１，３４Ｃ２，３４Ｃ３，３４Ｃ４  凹部
３４Ｄ  切り欠き部
３４Ｅ  支持部
３５  被固定片
３５Ａ  基板
３５Ａ１，３５Ａ２，３５Ａ３  切り欠き部
３５Ｂ１，３５Ｂ２  被支持部
３６  芯棒
３９  カバー部材
３９Ａ  基板
３９Ｂ１，３９Ｂ２  壁部
５０  拡張カード
５１Ａ１，５１Ａ２  取付用穴
５３  接続用モジュール
５４，５５  固定用ネジ
６１  ガスケット
７０  ブラケット
７１  ブラケット本体
７１Ａ  マウント部
７１Ｂ  凹部
７２  取替可能部材
７３  第１種別部材
７３Ａ  被マウント部
７３Ｂ  被固定片
７４  第２種別部材
７４Ａ  被マウント部
７４Ｂ  部材本体
７４Ｃ  被固定片
【図１】
2020077748.tif 000003
【図２】
2020077748.tif 000004
【図３】
2020077748.tif 000005
【図４】
2020077748.tif 000006
【図５】
2020077748.tif 000007
【図６】
2020077748.tif 000008
【図７】
2020077748.tif 000009
【図８】
2020077748.tif 000010
【図９】
2020077748.tif 000011
【図１０】
2020077748.tif 000012
【図１１】
2020077748.tif 000013
【図１２】
2020077748.tif 000014
【図１３】
2020077748.tif 000015
【図１４】
2020077748.tif 000016
【図１５】
2020077748.tif 000017
【図１６】
2020077748.tif 000018
【図１７】
2020077748.tif 000019
【図１８】
2020077748.tif 000020
【図１９】
2020077748.tif 000021
【図２０】
2020077748.tif 000022
【図２１】
2020077748.tif 000023
【図２２】
2020077748.tif 000024